(57)【要約】【課題】  スイッチの取付作業を容易迅速に行い得る刈取収穫機の作業用スイッチの取付構造を提供する。【解決手段】  脱穀装置を覆う脱穀カバー体１８を設けるとともに、エンジン緊急停止スイッチ１７のスイッチ本体１７Ａを脱穀カバー体１８と脱穀装置との間に位置させる。脱穀カバー体１８に形成した開口１８ａを通してスイッチ本体１７Ａのナット装着部１７ｂを脱穀カバー体１８の外面側に突出させる。取り付け固定用のナット１９とスイッチ本体１７Ａとで脱穀カバー体１８を挾持する状態で、スイッチ本体１７Ａを脱穀カバー体１８に取り付け固定する。【選択図】        図７
2008307004.tif 000002
【特許請求の範囲】
【請求項１】
刈取作業用装置を覆うカバー体を設け、作業用スイッチのスイッチ本体を前記カバー体と前記刈取作業用装置との間に位置させ、前記カバー体に形成した開口を通して前記スイッチ本体のナット装着部を前記カバー体の外面側に突出させ、取付固定用のナットと前記スイッチ本体とで前記カバー体を挾持する状態で、前記スイッチ本体を前記カバー体に取り付け固定し、前記カバー体の外面側に人為操作を受けて前記スイッチ本体の操作感応部に作用する操作体を配置してある刈取収穫機の作業用スイッチ取付構造。
【請求項２】
前記操作体に対する防護カバーを、その防護カバーの外縁部を前記ナットに形成した装着部に装着することによって、前記ナットに取付固定してある請求項1記載の刈取収穫機の作業用スイッチ取付構造。
【請求項３】
前記操作体が、平板状基体に凹凸部を形成したものである請求項１又は２記載の刈取収穫機の作業用スイッチ取付構造。
【請求項４】
前記防護カバーを被覆する外装カバーを前記カバー体に取り付け、前記外装カバーに前記防護カバーを通して前記操作体を前記スイッチ本体の操作感応部に押圧作用させる可動カバー体を揺動自在に取り付けてある請求項１から３のうちのいずれか一つに記載の刈取収穫機の作業用スイッチ取付構造。
【発明の詳細な説明】
【技術分野】
【０００１】
本発明は、刈取作業用装置を覆うカバー体にスイッチを取付ている刈取収穫機の作業用スイッチの取付構造に関する。
【背景技術】
【０００２】
脱穀作業の形態として、作業者が手刈りをした後に、その手刈りした穀稈を脱穀フィードチェーンに挾持させて脱穀処理を行う枕扱き作業を行う形態がある。この場合に作業者は、脱穀フィードチェーンの始端部近くに位置して作業を行うこととなるが、搬送詰まり等が起こった場合等には、緊急に脱穀フィードチェーンやエンジンを停止する必要がある。
そこで、脱穀装置を覆うカバー体にスイッチとしてのエンジン緊急停止スイッチを設けている。
【特許文献１】特開２０００−２７９０２０号公報（段落〔００４０〕，図１）
【発明の開示】
【発明が解決しようとする課題】
【０００３】
上記公報においては、明確な構成が記載されてはいないが、従来は次ぎのような構成を採っていた。図１３に示すように、脱穀カバー体１８に開口を形成するとともに、スイッチ本体１７Ａを脱穀カバー体１８の表側に位置させて、スイッチ本体１７Ａのナット装着部１７ｂを開口を通して脱穀カバー体１８の内側に位置させ、そのナット装着部１７ｂにナット１９を螺合させて、スイッチ本体１７Ａとナット１９とで脱穀カバー体１８を挟み込む状態でそのスイッチ本体１７Ａを取り付けていた。
しかし、上記構成においては、ナット装着部１７ｂに装着すべきナット１９が脱穀カバー体１８の内側に位置することとなり、脱穀カバー体１８を所定位置に取り付けた後に、スイッチを取り付けようとすると、作業者の手の入り難い位置にナットを持っていかなければならず、作業が困難になることも考えられた。
【０００４】
本発明の目的は、スイッチの取付作業を容易迅速に行い得る刈取収穫機の作業用スイッチの取付構造を提供する点にある。
【課題を解決するための手段】
【０００５】
〔構成〕
本発明の特徴構成は、刈取作業用装置を覆うカバー体を設け、作業用スイッチのスイッチ本体を前記カバー体と前記刈取作業用装置との間に位置させ、前記カバー体に形成した開口を通して前記スイッチ本体のナット装着部を前記カバー体の外面側に突出させ、取付固定用のナットと前記スイッチ本体とで前記カバー体を挾持する状態で、前記スイッチ本体を前記カバー体に取り付け固定し、前記カバー体の外面側に人為操作を受けて前記スイッチ本体の操作感応部に作用する操作体を配置してある点にあり、その作用効果は次の通りである。
【０００６】
〔作用効果〕
ナット装着部に螺合させて締め付け操作をしなければならない取り付け固定用のナットを、カバー体の外面側に位置させたので、ナットの装着操作をカバー体の外面側から窮屈にならない姿勢で行うことができる。
したがって、スイッチの取付作業を容易迅速に行うことができるに至った。
【０００７】
〔構成〕
本第２発明の特徴構成は、前記操作体に対する防護カバーを、その防護カバーの外縁部を前記ナットに形成した装着部に装着することによって、前記ナットに取付固定してある点にあり、その作用効果は次の通りである。
【０００８】
〔作用効果〕
つまり、ナットを防護カバーに対する取付部に兼用できるので、防護カバーを取り付ける為の機構を、スイッチ本体を取り付けてあるカバー体等に新たに設ける必要がなく、構造の簡素化を図ることができる。
【０００９】
〔構成〕
本第３発明の特徴構成は、前記操作体が、平板状基体に凹凸部を形成したものである点にあり、その作用効果は次の通りである。
【００１０】
〔作用効果〕
平板状基体に凹凸部を形成することによって、単に平板状を呈するものに比べて、剛性が高くなる。このことによって、防護カバーを通して操作体を操作する際に、操作体におけるスイッチ本体の操作感応部に対応した部分を操作する場合だけでなく、対応した部分から外れた部分を操作した場合であっても、操作体が変形し難く、操作感応部へ作用し易くなっている。
【００１１】
〔構成〕
本第４発明の特徴構成は、前記防護カバーを被覆する外装カバーを前記脱穀カバー体に取り付け、前記外装カバーに前記防護カバーを通して前記操作体を前記スイッチ本体の操作感応部に押圧作用させる可動カバー体を揺動自在に取り付けてある点にあり、その作用効果は次の通りである。
【００１２】
〔作用効果〕
このように、外装カバーを設けることによって、スイッチの存在を明確にし、カバー体に彩りを添えることが可能になる。一方、外装カバーに対して別個に可動カバー体を設けてあるので、防護カバーを通して操作感応部を操作する場合も確実に操作することができ、スイッチ操作の安定化を図ることができる。
【発明を実施するための最良の形態】
【００１３】
〔第1実施形態〕
コンバインの構成について説明する。図１に示すように、クローラ式走行装置１で走行する走行機体２の前端に、昇降自在に刈取前処理部３を取り付けるとともに、刈取前処理部３の横側方に運転操縦部４を配置し、刈取前処理部３からの刈取穀稈を受取り脱穀処理を施す脱穀装置５、及び、脱穀装置５からの穀粒を貯留する穀粒貯留タンク６とを走行機体２に配置し、脱穀装置５に併設した脱穀フィードチェーン７によって脱穀穀稈を搬送し、後方の排ワラ搬送装置８に脱穀済み茎稈を受渡し、排ワラ搬送装置８から茎稈を受取り細断処理する細断処理装置９を搭載して、コンバインを構成してある。
【００１４】
図１〜図３に示すように、脱穀装置５の左横側方に脱穀フィードチェーン７を配置するとともに、脱穀フィードチェーン７の上方側に挾持用レール１０を配置する。脱穀フィードチェーン７と挾持用レール１０とで刈取前処理部３から搬送された刈取穀稈を受け取る。受け取った刈取穀稈を横倒れ姿勢で扱室１１内を搬送しながら、その刈取穀稈に扱胴によって扱き処理を加えるべく構成してある。
【００１５】
挾持用レール１０の支持構造について説明する。図２及び図３に示すように、脱穀フィードチェーン７に沿って前後方向に配置された挾持用レール１０の長手方向複数箇所に支持ロッド１２を取り付けるとともに、支持ロッド１２を脱穀装置５の側板５Ａに固定された支持フレーム１３に吊下げ、支持フレーム１３で挾持用レール１０を吊下げ支持するように構成してある。
【００１６】
支持ロッド１２は、支持フレーム１３を下から貫通し、上端を支持フレーム１３の上方に突出させている。支持ロッド１２の上端には、ワッシャとナット１２ａとが装着され、支持ロッド１２の支持フレーム１３対する下降限を設定してある。
一方、支持フレーム１３と挾持用レール１０との間には、支持ロッド１２に外嵌された付勢バネ１４が夫々装着してあり、挾持レール１０を付勢バネ１４で脱穀フィードチェーン７に向けて付勢してある。
【００１７】
図２〜図５に示すように、支持フレーム１３はコの字型の断面形状を呈する長尺フレームであり、脱穀側板５Ａに固定された前後二つのブラケット１５、１６によって、支持されている。図３及び図４に示すように、前ブラケット１５の横向き面に、略矩形の凹入部１５Ａを形成してある。この凹入部１５Ａに対して支持フレーム１３を、その支持フレーム１３のコの字状断面の開口部分が凹入部１５Ａの奥側に位置するように差込み固着する。
【００１８】
以上のように、支持フレーム１３をコの字状断面に形成したものではあっても、コの字状断面の開口部分が凹入部１５Ａの奥側に位置するように差込み固着することによって、支持フレーム１３が角形断面を採っていた場合に匹敵する剛性を確保することができた。
【００１９】
一方、支持フレーム１３に対して支持ロッド１２は直交する状態で貫通支持されているわけではなく、僅かに、図５に示すように、直交する状態から傾斜する状態に貫通している。そうすると、支持フレーム１３に形成する孔１３ａも直交する軸線上に形成することができず、孔開け位置にズレが生ずるために、支持フレーム１３が角形断面を採っていた場合には、孔開け加工に工夫を必要として、精度確保が困難になっていた。
【００２０】
そこで、上記したように、支持フレーム１３としてコの字状断面形状を採用した。これによって、図６に示すように、コの字状断面形状に形成する前の板状部材１３Ａを展開した段階で、プレス成形による孔開け加工が可能になり、孔１３ａ位置を精度良く製作できることとなった。
孔開け加工を終えた後に、板状部材１３Ａをコの字状に折り曲げ加工することによって、支持フレーム１３を製作できる。
【００２１】
次ぎに、作業用スイッチとしてのエンジン緊急停止スイッチ１７の取り付け構造について説明する。図７及び図８に示すように、脱穀装置５の横側方に脱穀カバー体（刈取作業用装置を覆うカバー体の一例）１８を設けてある。この脱穀カバー体１８に対して前記したエンジン緊急停止スイッチ１７を取り付ける。
【００２２】
図７及び図８に示すように、脱穀カバー体１８のスイッチ取付位置に開口１８ａを形成するとともに、この開口１８ａに対してスイッチ本体１７Ａを脱穀カバー体１８の内面側から取り付ける。スイッチ本体１７Ａは、軸線方向中間位置にフランジ部１７ａを設け、フランジ部１７ａより先端側に螺旋溝を形成したナット装着部１７ｂと、ナット装着部１７ｂの先端側に操作感応部１７ｃとを装備しており、脱穀カバー体１８とフランジ部１７ａとの間にＯリング２５が狭み込まれている。
【００２３】
図７に示すように、ナット装着部１７ｂと操作感応部１７ｃとを開口１８ａを通して脱穀カバー体１８の内面側から外面側に臨ませる。そのナット装着部１７ｂに対してナット１９を脱穀カバー体１８の外面側から螺着して、ナット１９とスイッチ本体１７Ａのフランジ部１７ａとで脱穀カバー体１８を挟み込み、スイッチ本体１７Ａを取付固定する。
【００２４】
図７〜９に示すように、ナット１９は、ナット装着部１７ｂに装着された状態で、脱穀カバー体１８に対向する背面が小径のボス部（装着部の一例）１９ａとして形成してあり、脱穀カバー体１８に対して遠い側の表面が前記ボス部１９ａより大径のフランジ部１９ｂに構成してある。
【００２５】
ナット１９を覆う防護カバー２０を設け、防護カバー２０は、ゴム製のお椀状を呈する一体形成物である。防護カバー２０の一側面は開口部２０Ａとなっており、開口部２０Ａに内向きの鍔部２０ａが形成してある。このような構成を採っている防護カバー２０をナット１９に取付るにあたって、開口部２０Ａよりナット１９に被せた状態で、防護カバー２０のボス部１９ａに鍔部２０ａを外嵌させて、防護カバー２０をナット１９に取り付ける。
【００２６】
上記のように、防護カバー２０の鍔部２０ａをナット１９のボス部１９ａに被せることによって、鍔部２０ａが大径のフランジ部１９ｂによって抜止規制されるとともに、鍔部２０ａがボス部１９ａに外嵌されると同時に、ボス部１９ａと脱穀カバー体１８とで挟まれることとなり、防護カバー２０のナット１９に対する装着状態が安定する。
【００２７】
図７及び図８に示すように、防護カバー２０の内部空間には、スイッチ本体１７Ａの操作感応部１７ｃに作用してスイッチ動作を起させる操作体２１を設けてある。操作体２１は、円盤状基体２１Ａに対して外周縁部には折り曲げ鍔部２１ａを設けるとともに、円盤状基体２１Ａの中心位置に凹凸部２１ｂが形成してある。これらの折り曲げ鍔部２１ａと凹凸部２１ｂとは絞り加工によって、円盤状基体に一体形成されている。ここでの操作体２１の材質は、アルミ等の金属が使用可能であるが、樹脂等の一体成形品でもよい。
【００２８】
以上のような構成になる防護カバー２０を押圧すると、操作体２１が押圧されて、その操作体２１が操作感応部１７ｃに押圧作用して、スイッチ操作が行われる。ここで、操作体２１が円盤状基体２１Ａに凹凸部２１ｂ等を絞り加工したものであるので、単なる円盤状のものに比べて剛性が高い。したがって、防護カバー２０の中心位置より外れた部分を押圧しても、操作体２１を介して操作感応部１７ｃへの操作が行われる。
【００２９】
〔第２実施形態〕
ここでは、第1実施形態で示した形態のものに、更に、装飾を高める外装カバー２３を装着する形態について説明する。図１０〜図１２に示すように、第1実施形態で示したように、スイッチ本体１７Ａのナット装着部１７ｂとそのナット装着部１７ｂの先端側に形成した操作感応部１７ｃとを、脱穀カバー体１８に設けた開口１８ａを通して、脱穀カバー体１８の外面側に臨ませるとともに、ナット装着部１７ｂに六角ナット２２を螺着して、スイッチ本体１７Ａを脱穀カバー体１８に取り付けてある。
【００３０】
スイッチ本体１７Ａに対しては、第1実施形態と同様に、ゴム製のお椀状一体成形物である防護カバー２０が設けられ、防護カバー２０には、円盤状基板の軸芯位置に凹凸部が形成された操作体部が一体形成されている。
この第２実施形態においては、防護カバー２０を更に覆うように、装飾用の外装カバー２３と可動カバー体２４とが設けられている。
【００３１】
図１０〜１２に示すように、外装カバー２３は、ドーナツ状の基板の周縁部を軸線方向に沿って折り曲げ、外周縁部２３Ａを立ち上げて形成してある。外周縁部２３Ａの立ち上げた先端部には、外開き状の鍔部２３ａが連設されている。鍔部２３ａの円周方向における二箇所には、次ぎのようなものが設けてある。
【００３２】
つまり、図１０〜１２に示すように、鍔部２３ａの円周方向一箇所には、軸線方向に平行に上ブラケット２３Ｂが立設してある。この上ブラケット２３Ｂは、図１０及び図１１に示すように、チャンネル状の断面形状を呈しており、ウエブ部分２３ｂを上面にして、このウエブ部分２３ｂの両側端よりフランジ部分２３ｃ、２３ｃを立ち下げてある。このフランジ部分２３ｃ、２３ｃに亘って可動カバー体２４を揺動可能に吊下げ支持する構成を採る。
【００３３】
鍔部２３ａの円周方向他の箇所には、上ブラケット２３Ｂと外装カバー２３の軸芯を挟んで１８０°反対側に、下ブラケット２３Ｃを立設してある。下ブラケット２３Ｃは、ウエブ部分２３ｄを下面にして、このウエブ部分２３ｄの両側端よりフランジ部分２３ｅ、２３ｅを立ち上げてある。
【００３４】
上記した上下のブラケット２３Ｂ、２３Ｃのウエブ部分２３ｂ、２３ｄには、外装カバー２３を脱穀カバー１８に取り付ける際の抜止機構が設けてある。この抜止機構について、一方のウエブ部分２３ｂを参照して説明する。図１１及び図１２に示すように、ウエブ部分２３ｂの左右二箇所に、フランジ部分２３ｃ、２３ｃと平行に突起部２３ｆ、２３ｆが切り起こされている。
【００３５】
図１１に示すように、脱穀カバー体１８のスイッチ本体１７Ａ取付用の開口１８ａを中心とした上下二箇所に、上下ブラケット２３Ｂ、２３Ｃを差込み装着可能な横長孔状の抜き孔１８ｂ、１８ｂを形成してある。
以上のように、突起部２３ｆ、２３ｆを形成した上下ブラケット２３Ｂ、２３Ｃを外装ケース２３に形成する点と、脱穀カバー体１８の上下二箇所に抜き孔１８ｂ、１８ｂを形成する点とによって、外装ケース２３を上下ブラケット２３Ｂ、２３Ｃを介して取り付けることができる。
【００３６】
つまり、外装ケース２３は樹脂の一体形成品であるので、上下ブラケット２３Ｂ、２３Ｃに形成した突起部２３ｆ、２３ｆの間隔は、上下二箇所の抜き孔１８ｂ、１８ｂの間隔より大に設定してある。そして、上下ブラケット２３Ｂ、２３Ｃを抜き孔１８ｂ、１８ｂ内に差し込む際には、上下ブラケット２３Ｂ、２３Ｃが互いに近接する方向に撓みを生じ、上下の突起部２３ｆ、２３ｆが抜き孔１８ｂ、１８ｂを貫通して、脱穀カバー体１８の内面側に突出する。
【００３７】
図１０に示すように、抜き孔１８ｂ、１８ｂを通過して脱穀カバー体１８の内面側に突出した突起部２３ｆ、２３ｆは、それらを押えるものがなくなったので、上下ブラケット２３Ｂ、２３Ｃが保有する弾性復帰力によって、もとの状態に復帰する。これによって、上下の突起部２３ｆ、２３ｆの間隔は、抜き孔１８ｂ、１８ｂ同士の間隔よりは大きな状態に復帰するために、脱穀カバー体１８の外面側への戻りが規制される。これによって、外装ケース２３が脱穀カバー体１８に装着されることとなる。
【００３８】
次ぎに、可動カバー体２４について説明する。図１０〜１２に示すように、可動カバー体２４は、お椀状の断面形状を呈する基体２４Ａと、基体２４Ａの円周縁における１８０°対向位置にブラケット２４Ｂと、ガイド体２４Ｃを、可動カバー体２４の軸線方向に平行に突出させてある。
【００３９】
ブラケット２４Ｂは、上面となるウエブ部分２４ａの両側端より立ち下げた左右のフランジ部分２４ｂ、２４ｂに、外装ケース２３の上ブラケット２３Ｂの挿通孔２３ｇ、２３ｇに差込み装着される枢支ピン２４ｃ、２４ｃを突設させてある。
一方、ガイド体２４Ｃはブラケット２４Ｂの横幅より小さく、外装ケース２３の下ブラケット２３Ｃのウエブ部分に内側から摺接可能に構成してある。
【００４０】
以上のような構成を採る可動カバー体２４を、外装ケース２３に取り付ける際に、可動カバー体２４の上ブラケット２４Ｂの両側端に形成されたフランジ部分２４ｂ、２４ｂを、外装ケース２３の上ブラケット２３Ｂの両側端に形成されたフランジ部分２３ｃ、２３ｃの内側に入り込むように挿入する。可動カバー体２４は左右の枢支ピン２４ｃ、２４ｃ間隔を弾性変形してやや狭めた状態で両フランジ部分２３ｃ、２３ｃの内側面に摺接する状態で挿入され、外装ケース２３のフランジ部分２３ｃ、２３ｃに形成された挿通孔２３ｇ、２３ｇ内に枢支ピン２４ｃ、２４ｃが入り込み装着される。
【００４１】
以上のような構成によって、可動カバー体２４は、枢支ピン２４ｃ、２４ｃの軸芯回りで揺動自在に、外装ケース２３に支持される。
ここで、図１０（イ）（ロ）に示すように、可動カバー体２４の基体２４Ａを人為的に押し込み操作すると、基体２４Ａが防護カバー２０を押込み、防護カバー２０が操作体２１を押し込むことによって、スイッチ本体１７Ａの操作感応部１７ｃが操作されて、スイッチ操作が行われる。
【００４２】
〔他の実施例〕
（１）脱穀カバー体１８に取り付けるスイッチ１７としては、エンジン緊急停止スイットに限定されず、刈取前処理部の縦送り搬送装置を停止するものや、脱穀フィードチェーン７を停止させるスイッチであってもよい。
（２）前記スイッチ１７を取付ける対象としては、脱穀カバー体だけでなく、運転操縦部におけるスイッチを取付けているカバー体であってもよい。
（３）スイッチ１７の形態として、押ボタンスイッチ形式のものを記載したが、トグル式のものを採用してもよい。
【図面の簡単な説明】
【００４３】
【図１】コンバインの全体側面図
【図２】脱穀フィードチェーンに対する挾持用レール構造を示す側面図
【図３】脱穀フィードチェーン、扱胴、脱穀カバー体を示す縦断背面図
【図４】支持フレームをブラケットに取り付けた状態を示す縦断背面図
【図５】支持ロッドを支持フレームに取付た状態を示す縦断側面図
【図６】支持フレームを展開した状態を示す展開図
【図７】スイッチ、操作体、防護カバーの取付状態を示す縦断側面図
【図８】スイッチ、操作体、防護カバーの取付前状態を示す縦断側面図
【図９】防護カバーとナットを示す縦断側面図
【図１０】第２実施形態を示し、（イ）スイッチ、操作体部、防護カバー、可動カバー体、外装カバーの取付状態を示す縦断側面図、(ロ)可動カバー体を操作した状態を示す縦断側面図
【図１１】可動カバー体、外装カバーの取付前状態を示す縦断側面図
【図１２】第２実施形態を示し、外装カバーに可動カバー体を組み付けた状態を示す縦断正面図、
【図１３】従来のスイッチ取付構造を示す縦断側面図
【符号の説明】
【００４４】
５              脱穀装置（刈取作業装置）
１７            エンジン緊急停止スイッチ（作業用スイッチ）
１７Ａ          スイッチ本体
１７ｂ          ナット装着部
１７ｃ          操作感応部
１８            脱穀カバー体（カバー体）
１８ａ          開口
１９            取付固定用のナット
１９ａ          ボス部（装着部）
２０            防護カバー
２１            操作軸
２１Ａ          円盤状基体（平板状基体）
２１ｂ          凹凸部
２３            外装カバー
２４            可動カバー体
【図１】
2008307004.tif 000003
【図２】
2008307004.tif 000004
【図３】
2008307004.tif 000005
【図４】
2008307004.tif 000006
【図５】
2008307004.tif 000007
【図６】
2008307004.tif 000008
【図７】
2008307004.tif 000009
【図８】
2008307004.tif 000010
【図９】
2008307004.tif 000011
【図１０】
2008307004.tif 000012
【図１１】
2008307004.tif 000013
【図１２】
2008307004.tif 000014
【図１３】
2008307004.tif 000015